【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
通信システムにおいて、温度上昇(ROT)閾値を動的に設定する方法であって、
通信の運転停止が生じたかどうか判断することと、
運転停止が生じていない場合に、予め定められた増分によってROT閾値を増加させることと、
運転停止が生じている場合に、予め定められた減分によってROT閾値を減少させることとを含む方法。
【請求項２】
運転停止が生じている場合に、逆方向活動ビット(RAB)を1に設定することをさらに含む請求項1の方法。
【請求項３】
最初にROT閾値を予め定められた最小のROT閾値に設定することをさらに含む請求項1の方法。
【請求項４】
ROT閾値を増加させるステップに先立って、ROT閾値が予め定められた最大の閾値と等しいかどうか判断することと、
ROT閾値が予め定められた最大の閾値と等しく、かつ運転停止が生じていない場合に、ROT閾値を予め定められた最大の閾値に維持することとをさらに含む請求項1の方法。
【請求項５】
通信の運転停止が生じたかどうか判断するステップが、
複数のアクセス端末のうちのどの1つが最低のデータレートで基地トランシーバ局にデータを送信しているかを判断することと、
最低のデータレートで送信しているアクセス端末から受信された一組のデータが誤りを持っているかどうかを判断することと、
最低のデータレートで送信しているアクセス端末から受信されたデータの組が誤りを持っている場合に、最低のデータレートで送信しているアクセス端末に対して警告フラグを設定することとを含む請求項1の方法。
【請求項６】
通信の運転停止が生じたかどうか判断するステップが、
最低のデータレートで送信しているアクセス端末から受信されたデータの第2の組が誤りを持っているかどうか判断することと、
最低のデータレートで送信しているアクセス端末から受信されたデータの第2の組が誤りを持っている場合に、最低のデータレートで送信しているアクセス端末に対して運転停止を宣言することとをさらに含む請求項5の方法。
【請求項７】
通信の運転停止が生じたかどうか判断するステップは、最低のデータレートで送信しているアクセス端末から受信された第2の組のデータが誤りを持っていない場合に、最低のデータレートで送信しているアクセス端末に対する警告フラグを除去することをさらに含む請求項6の方法。
【請求項８】
最低のデータレートで送信しているアクセス端末から受信されたデータの組が誤りを持っているかどうか判断するステップは、最低のデータレートで送信しているアクセス端末から受信されたパケットがフレーム誤りを持っているかどうか判断することを含む請求項5の方法。
【請求項９】
通信の運転停止が生じたかどうか判断するステップは、最低のデータレートで送信しているアクセス端末から受信された2つの連続パケットがフレーム誤りを持っている場合に、最低のデータレートで送信しているアクセス端末に対して運転停止を宣言することをさらに含む請求項8の方法。
【請求項１０】
他の1つのアクセス端末で運転停止が生じたかどうか判断することをさらに含む請求項5の方法。
【請求項１１】
基地トランシーバ局と通信している、与えられたセクター内の警告フラグを有するアクセス端末の数を判断することと、
警告フラグを有するアクセス端末の数が予め定められた数を超過する場合に、セクターに対して運転停止を宣言することとをさらに含む請求項5の方法。
【請求項１２】
複数のアクセス端末から複数のパケットのデータを受信する手段と、
アクセス端末のための温度上昇(ROT)閾値を動的に設定する手段とを含む基地トランシーバ局装置。
【請求項１３】
ROT閾値を動的に設定する手段が、
通信の運転停止がアクセス端末のうちの1つで生じたかどうか判断する手段と、
運転停止が生じていない場合、予め定められた増分によってROT閾値を増加させる手段と、
運転停止が生じている場合、予め定められた減分によってROT閾値を減少させる手段とを含む請求項12の装置。
【請求項１４】
運転停止が生じている場合、逆方向活動ビット(RAB)を1に設定する手段をさらに含む請求項13の装置。
【請求項１５】
ROT閾値を動的に設定する手段は、最初にROT閾値を予め定められた最小のROT閾値に設定する手段をさらに含む請求項13の装置。
【請求項１６】
ROT閾値を動的に設定する手段が、
ROT閾値を増加させる前にROT閾値が予め定められた最大の閾値と等しいかどうか判断する手段と、
ROT閾値が予め定められた最大の閾値と等しく、かつ運転停止が生じていない場合に、ROT閾値を予め定められた最大の閾値で維持する手段とをさらに含む請求項13の装置。
【請求項１７】
通信の運転停止が生じたかどうか判断する手段は、
アクセス端末のうちのどの1つが最低のデータレートでデータを送信しているかを判断する手段と、
最低のデータレートで送信しているアクセス端末から受信された一組のデータが誤りを持っているかどうか判断する手段と、
最低のデータレートで送信しているアクセス端末から受信されたデータの組が誤りを持っている場合に、最低のデータレートで送信しているアクセス端末に対して警告フラグを設定する手段とを含む請求項13の装置。
【請求項１８】
通信の運転停止が生じたかどうか判断する手段は、
最低のデータレートで送信しているアクセス端末から受信されたデータの第2の組が誤りを持っているかどうか判断する手段と、
最低のデータレートで送信するアクセス端末から受信されたデータの第2の組が誤りを持っている場合に、最低のデータレートで送信しているアクセス端末に対する運転停止を宣言する手段とをさらに含む請求項17の装置。
【請求項１９】
通信の運転停止が生じたかどうか判断する手段は、最低のデータレートで送信しているアクセス端末から受信されたデータの第2の組が誤りを持っていない場合に、最低のデータレートで送信しているアクセス端末に対する警告フラグを除去する手段を含む請求項18の装置。
【請求項２０】
最低のデータレートで送信しているアクセス端末から受信されたデータの組が誤りを持つかどうか判断する手段は、最低のデータレートで送信しているアクセス端末から受信されたパケットがフレーム誤りを持っているかどうか判断する手段を含む請求項17の装置。
【請求項２１】
通信の運転停止が生じたかどうか判断する手段は、最低のデータレートで送信しているアクセス端末から受信された2つの連続パケットがフレーム誤りを持っている場合に、最低のデータレートで送信しているアクセス端末に対して運転停止を宣言する手段をさらに含む請求項20の装置。
【請求項２２】
ROT閾値を動的に設定する手段は、運転停止が他の1つのアクセス端末で生じたかどうか判断する手段をさらに含む請求項13の装置。
【請求項２３】
ROT閾値を動的に設定する手段は、
与えられたセクターにおいて警告フラグを有するアクセス端末の数を判断する手段と、
警告フラグを有するアクセス端末の数が予め定められた数を超過する場合に、セクターに対する運転停止を宣言する手段をさらに含む請求項13の装置。
【請求項２４】
通信の運転停止が生じたかどうか判断する命令と、
運転停止が生じていない場合に、予め定められた増分によってROT閾値を増加させる命令と、
運転停止が生じている場合に、予め定められた減分によってROT閾値を減少させる命令とを含む、
通信システムにおける温度上昇(ROT)閾値を動的に設定するためのコンピュータ読取り可能な媒体を含む、コンピュータプログラム製品。
【請求項２５】
命令は、運転停止が生じている場合に、逆方向活動ビット(RAB)を1に設定することをさらに含む請求項24のコンピュータプログラム製品。
【請求項２６】
命令は、最初にROT閾値を予め定められた最小のROT閾値に設定することをさらに含む請求項24のコンピュータプログラム製品。
【請求項２７】
命令は、
ROT閾値がROT閾値を増加させるステップに先立って予め定められた最大の閾値と等しいかどうか判断する命令と、
ROT閾値が予め定められた最大の閾値と等しく、かつ運転停止が生じていない場合に、予め定められた最大の閾値でROT閾値を維持する命令とをさらに含む請求項24のコンピュータプログラム製品。
【請求項２８】
通信の運転停止が生じたかどうか判断する命令は、
複数のアクセス端末のうちのどれか1つが最低のデータレートで基地トランシーバ局にデータを送信しているか判断する命令と、
最低のデータレートで送信しているアクセス端末から受信された一組のデータが誤りを持っているかどうかを判断する命令と、
最低のデータレートで送信しているアクセス端末から受信されたデータの組が誤りを持っている場合に、最低のデータレートで送信しているアクセス端末に対して警告フラグを設定する命令とを含む請求項24のコンピュータプログラム製品。
【請求項２９】
通信の運転停止が生じたかどうか判断する命令は、
最低のデータレートで送信しているアクセス端末から受信された第2の組のデータが誤りを持っているかどうか判断する命令と、
最低のデータレートで送信しているアクセス端末から受信されたデータの第2の組が誤りを持っている場合に、最低のデータレートで送信しているアクセス端末に対して運転停止を宣言する命令とをさらに含む請求項28のコンピュータプログラム製品。
【請求項３０】
通信の運転停止が生じたかどうか判断する命令は、最低のデータレートで送信しているアクセス端末から受信された第2の組のデータが誤りを持っていない場合に、最低のデータレートで送信するアクセス端末に対する警告フラグを除去する命令をさらに含む請求項29のコンピュータプログラム製品。
【請求項３１】
最低のデータレートで送信しているアクセス端末から受信されたデータの組が誤りを持つかどうか判断する命令は、最低のデータレートで送信しているアクセス端末から受信されたパケットがフレーム誤りを持っているかどうか判断する命令を含む請求項28のコンピュータプログラム製品。
【請求項３２】
通信の運転停止が生じたかどうか判断する命令は、最低のデータレートで送信しているアクセス端末から受信された2つの連続パケットがフレーム誤りを持っている場合に、最低のデータレートで送信しているアクセス端末に対して運転停止を宣言する命令をさらに含む請求項31のコンピュータプログラム製品。
【請求項３３】
命令は、運転停止がアクセス端末の他の1つで生じたかどうか判断する命令をさらに含む請求項28のコンピュータプログラム製品。
【請求項３４】
命令は、
基地トランシーバ局と通信している、与えられたセクターの警告フラグを有するアクセス端末の数を判断する命令と、
警告フラグを有するアクセス端末の数が予め定められた数を超過する場合に、セクターに対して運転停止を宣言する命令とをさらに含む請求項28のコンピュータプログラム製品。
【請求項３５】
少なくとも１つの入力と少なくとも１つの出力とを有する基地トランシーバ局であって、
少なくとも１つの入力と少なくとも１つの出力とを有するトランシーバと、
少なくとも１つの入力と少なくとも１つの出力とを有し、前記少なくとも１つの入力が前記トランシーバの前記少なくとも１つの出力に作動的に接続され、かつ前記少なくとも１つの出力が前記基地トランシーバ局の前記少なくとも１つの出力に作動的に接続された温度上昇閾値プロセッサと、
少なくとも１つの入力と少なくとも１つの出力とを有し、前記少なくとも１つの出力が前記トランシーバの前記少なくとも１つの入力に作動的に接続され、かつ前記１つの入力が前記基地トランシーバ局の前記少なくとも１つの入力に作動的に接続された少なくとも１つのアンテナとを含む基地トランシーバ局。
【請求項３６】
前記トランシーバが複数のアクセス端末からの複数のパケットのデータを受信するように適合され、前記温度上昇閾値プロセッサが前記アクセス端末のための温度上昇閾値を動的に設定するように適合された、請求項３５による基地トランシーバ。
【請求項３７】
前記温度上昇閾値プロセッサは、
通信の運転停止が前記アクセス端末の1つで生じたかどうかを判断し、
前記運転停止が生じなかった場合に予め定められた増分だけ前記温度上昇閾値を増加し、
前記運転停止が生じた場合に予め定められた量だけ前記温度上昇閾値を低減するようにさらに適合された、請求項３６による基地トランシーバ。
【請求項３８】
前記温度上昇閾値プロセッサは、前記運転停止が生じた場合に逆方向活動ビットを１に設定するようにさらに適合された、請求項３７による基地トランシーバ。
【請求項３９】
前記温度上昇閾値プロセッサは、最初に温度上昇閾値を予め定められた最小の温度上昇閾値に設定するようにさらに適合された、請求項３７による基地トランシーバ。
【請求項４０】
前記温度上昇閾値プロセッサは、
前記温度上昇閾値を増加する前に、前記温度上昇閾値が予め定められた最大閾値に等しいかどうかを判断し、
前記温度上昇閾値が前記予め定められた最大閾値に等しく、かつ前記運転停止が生じなかった場合に、前記温度上昇閾値を前記予め定められた最大閾値に維持するようにさらに適合された、請求項３７による基地トランシーバ。
【請求項４１】
前記温度上昇閾値プロセッサは、
前記アクセス端末のどの１つが最低のデータレートでデータを送信しているかを判断し、
前記最低のデータレートで送信している前記アクセス端末から受信されたデータの組が誤りをもっているかどうかを判断し、
最低のデータレートで送信している前記アクセス端末から受信されたデータの組が誤りをもっている場合に、最低のデータレートで送信しているアクセス端末に警告フラグを設定するようにさらに適合された、請求項３７による基地トランシーバ。
【請求項４２】
前記温度上昇閾値プロセッサは、
前記最低のデータレートで送信している前記アクセス端末から受信されたデータの第２の組が誤りをもっているかどうかを判断し、
前記最低のデータレートで送信している前記アクセス端末から受信されたデータの前記第２の組が誤りをもっている場合に、前記最低のデータレートで送信している前記アクセス端末に対して前記運転停止を宣言するようにさらに適合された、請求項４１による基地トランシーバ。
【請求項４３】
前記温度上昇閾値プロセッサは、前記最低のデータレートで送信している前記アクセス端末から受信されたデータの前記第２の組が誤りをもっていなかった場合に、前記最低のデータレートで送信している前記アクセス端末に対する前記警告フラグを除去するようにさらに適合された、請求項４２による基地トランシーバ。
【請求項４４】
前記温度上昇閾値プロセッサは、前記最低のデータレートで送信している前記アクセス端末から受信されたパケットが、フレーム誤りをもっているかどうかを判断するようにさらに適合された、請求項４１による基地トランシーバ。
【請求項４５】
前記温度上昇閾値プロセッサは、前記最低のデータレートで送信している前記アクセス端末から受信された２つの連続パケットがフレーム誤りをもっている場合に、前記最低のデータレートで送信している前記アクセス端末に対して前記運転停止を宣言するようにさらに適合された、請求項４４による基地トランシーバ。
【請求項４６】
前記温度上昇閾値プロセッサは、運転停止が前記アクセス端末の他の１つで生じたかどうかを判断するようにさらに適合された、請求項３７による基地トランシーバ。
【請求項４７】
前記温度上昇閾値プロセッサは、
与えられたセクターで警告フラグを有するアクセス端末の数を判断し、
警告フラグを有するアクセス端末の前記数が予め定められた数を超える場合に、前記セクターに対して運転停止を宣言するようにさらに適合された、請求項３７による基地トランシーバ。